(57)【特許請求の範囲】
【請求項１】
基部側をハンドル部（２）とし且つ先端側を挟持部（４）とした一対の挾持杆（１Ａ，１Ｂ）を備え、直線状のスライド用長孔（５）を一方の挾持杆（１Ａ）に形成すると共に、他方の挟持杆（１Ｂ）のピン軸（８）をスライド用長孔（５）に挿通して、一対の挾持杆（１Ａ，１Ｂ）を互いにスライド可能にし、さらに、挟持杆（１Ａ，１Ｂ）のスライドを規制して挟持部（４Ａ，４Ｂ）のくち開き度を調整可能とするための複数の係止部（６，…）をスライド用長孔（５）の長手方向に沿って一方の挾持杆（１Ａ）に形成したウォーターポンププライヤーにおいて、把持対象物（Ｐ）のサイズの相違に伴って生じるハンドル部（２Ａ，２Ｂ）の開きのバラツキを抑えるべく、前記係止部（６，…）をスライド用長孔（５）の長手方向に対して不等間隔に形成してなることを特徴とするウォーターポンププライヤー。
【発明の詳細な説明】
【０００１】
【発明の属する技術分野】
本発明は、パイプや丸棒の径あるいはナットの大きさに応じて挟持部のくち開き度を数段階で調整することができるウォーターポンププライヤーに関する。
【０００２】
【従来の技術】
従来より、ウォーターポンププライヤーにおける挟持部のくち開き構造は、一方の挟持杆にスライド用長孔を形成すると共に、このスライド用長孔の片側に多数の保持凹部を等間隔に形成し、そして、他方の挟持杆に突設されたピン軸をスライド用長孔内で長手方向にスライドさせて、このピン軸を所望する保持凹部に係止させるものである。
【０００３】
また、上記従来の構造ではスライド用長孔に対するピン軸の位置をより多段階的に調整することができないから、例えば実公昭４１−１３６７６号公報所載のウォーターポンププライヤーにおける挟持部のくち開き構造は、多数の保持凹部をスライド用長孔の両側に互い違いにして等間隔に形成し、そして、他方の挟持杆に突設されたピン軸をスライド用長孔内で長手方向にスライドさせて、このピン軸を所望する保持凹部に係止させるようにしている。
【０００４】
【発明が解決しようとする課題】
しかしながら、挟持部に挟持されるパイプ、丸棒、ナット等は等比率でサイズが変わるものではないため、保持凹部が等間隔に形成された上記何れのくち開き構造にあっても、ハンドル部の開きにバラツキが生じて、使い勝手が悪くなるという問題があった。
【０００５】
そこで、本発明は上記問題に鑑みてなされたもので、挟持部のくち開きを何れの段階に調整したとしても、ハンドル部の開きのバラツキが少なくなるようなウォーターポンププライヤーを提供することを課題とする。
【０００６】
【課題を解決するための手段】
上記課題を解決するために、本発明に係るウォーターポンププライヤーは、基部側をハンドル部２とし且つ先端側を挟持部４とした一対の挾持杆１Ａ，１Ｂを備え、直線状のスライド用長孔５を一方の挾持杆１Ａに形成すると共に、他方の挟持杆１Ｂのピン軸８をスライド用長孔５に挿通して、一対の挾持杆１Ａ，１Ｂを互いにスライド可能にし、さらに、挟持杆１Ａ，１Ｂのスライドを規制して挟持部４Ａ，４Ｂのくち開き度を調整可能とするための複数の係止部６，…をスライド用長孔５の長手方向に沿って一方の挾持杆１Ａに形成したウォーターポンププライヤーにおいて、把持対象物Ｐのサイズの相違に伴って生じるハンドル部２Ａ，２Ｂの開きのバラツキを抑えるべく、前記係止部６，…をスライド用長孔５の長手方向に対して不等間隔に形成したものである。
【０００７】
【発明の実施の形態】
以下、本実施形態に係るウォーターポンププライヤーの構成について図１及び図２に基づき説明する。
【０００８】
本実施形態に係るウォーターポンププライヤーは、基部側をハンドル部２とし先端側を挟持部４とした一対の挾持杆１，１を備え、ハンドル部２と挟持部４とに挟まされた枢着部３にて一対の挾持杆１，１が回転自在に枢着される構成を採用している。
【０００９】
便宜上、一方の挟持杆１に対してＡの符号を付し、他方の挟持杆１に対してＢの符号を伏すならば、一方の挟持杆１Ａは、長いハンドル部２Ａに屈曲状態に枢着部３Ａを連設し、この枢着部３Ａに前記屈曲方向と逆方向に屈曲した状態にして挟み部４Ａを連設し、この枢着部３Ａに直線状のスライド用長孔５を形成して構成されている。
【００１０】
また、他方の挟持杆１Ｂは、長いハンドル部２Ｂに前記一方の挟持杆１Ａと逆方向に屈曲した状態にして枢着部３Ｂを連設し、この枢着部３Ｂに前記屈曲方向と逆方向に屈曲した状態にして挟み部４Ｂを連設し、この枢着部３Ｂに貫通孔７を形成して構成されている。
【００１１】
そして、前記他方の挾持杆１Ｂの枢着部３の貫通孔７にピン軸８を挿通して、このピン軸８を前記一方の挾持杆１Ａのスライド用長孔５にスライド移動調整自在に枢着することにより、このピン軸８を中心として両者１Ａ，１Ｂは回転自在となり、挟持部４，４同士の開き角を調整可能にしている。
【００１２】
前記ハンドル部２は、平面状の基部２ａと、該基部２ａの外側に位置する端縁部に沿って突設された突部２ｂとからなる断面視略Ｌ字状に形成されており、二つの突部２ｂ，２ｂをそれぞれ互いに反対方向に突設させることにより、一方の挟持杆１Ａの突部２ｂが他方の挟持杆１Ｂの基部２ａと略面一となると共に、他方の挟持杆１Ｂの突部２ｂが一方の挟持杆１Ａの基部２ａと略面一となる。
【００１３】
また、前記ハンドル部２は、その軽量化を図るべく、基部２ａの適宜位置に長孔９が形成されている。
【００１４】
前記スライド用長孔５は、一方の挾持杆Ａの直線状の枢着部３Ａに形成したもので、その片側（把持部４よりの側縁）には、ピン軸８の位置決め用としての保持凹部（係止部）６が複数並んで形成されている。本実施形態においては、この保持凹部６は、円弧状に形成されている。
【００１５】
一方、前記ピン軸８は、円柱体の外周面を背切り加工して平行な二つの対向面を形成したもので、ピン軸８の円弧部が任意の保持凹部６に係止可能となっている。背切り加工を施した理由は、該ピン軸８の断面形状と他方の挾持杆１Ｂの貫通孔７の形状とを略一致させることにより貫通孔７内でのピン軸８の回転を規制すること、及び、ピン軸８の直径よりも狭い幅を有するスライド用長孔５内でピン軸８をスライド可能にすることが挙げられる。但し、貫通孔７内でのピン軸８の回り止めを防止する目的であれば、貫通孔７及びピン軸８を上記形状にするもののみならず、例えば、ピン軸８の外周面の一部のみを背切り加工して断面視略Ｄ字状にすると共に、他方の挾持杆１Ｂの貫通孔７も略Ｄ字状にして形成するのであってもよい。
【００１６】
従って、連なった保持凹部６，…を選択してピン軸８を係止させることにより、一方の挾持杆１Ａに対して他方の挾持杆１Ｂを枢着する位置を可変自在とし、挟持部４Ａ，４Ｂ同士のくち開き度を調整することができるが、本実施形態においては、保持凹部６，…を等間隔ではなく、不等間隔に（ピッチを変えて）形成している。
【００１７】
また、前記一方の挟持杆１Ａの挟持部４Ａの内歯１０Ａは、略Ｖ字状に形成されている。この内歯１０Ａの開き角は、ボルトの六角頭の一角の角度（１２０度）よりも僅かに大きく形成されており、Ｖ字のうちの基端側縁が先端側縁よりも歯のピッチが小さく且つ歯形が小さくなっている。
【００１８】
さらに、前記他方の挟持杆１Ｂの挟持部４Ｂの内歯１０Ｂは、パイプ等の丸物にあっては、内歯１０ＡのＶ字の基端側縁及び先端側縁とで３点支持すべく、そして、ナット等の角物にあっては、内歯１０ＡのＶ字の基端側縁とで２点支持すべく、一部が突出した形状に形成されている。
【００１９】
このように、本実施形態に係るウォーターポンププライヤーは、長いハンドル部２Ａ，２Ｂに対して挟持部４Ａ，４Ｂが屈曲した状態にあり、該挟持部４Ａ，４Ｂ同士の開き角が数段階に調整できるため、挟持部４Ａ，４Ｂの内歯１０Ａ，１０Ｂによってパイプ、丸棒、ナット等をしっかりと挾持することができ、またハンドル２Ａ，２Ｂが長くその挾持力も大きく、挾持杆１Ａ，１Ｂの厚みも薄いため、狭い場所で大きいものをつかんで作業できるため、配管工事には欠かせないものである。
【００２０】
しかも、本実施形態に係るウォーターポンププライヤーは、保持凹部が等間隔で形成された従来のウォーターポンププライヤーと異なり、不等間隔、即ちピッチを変えて形成されているため、挟持部４Ａ，４Ｂ同士の開き角をいろんな段階に調整しても、ハンドル部２Ａ，２Ｂの開きのバラツキを抑えることができ、使い勝手が非常に良いのである。この実施例を以下に説明する。
【００２１】
【実施例】
本実施例では、図２に示す如く、保持凹部６の数を６個とし、便宜上、先端側から６ａ，６ｂ，６ｃ，６ｄ，６ｅ，６ｆとすると、保持凹部６ａ及び保持凹部６ｂの間隔Ｌ１を７．５ｍｍ、保持凹部６ｂ及び保持凹部６ｃの間隔Ｌ２を８．０ｍｍ、保持凹部６ｃ及び保持凹部６ｄの間隔Ｌ３を６．５ｍｍ、保持凹部６ｄ及び保持凹部６ｅの間隔Ｌ４を６．５ｍｍ、保持凹部６ｅ及び保持凹部６ｆの間隔Ｌ５を８．０ｍｍにしている。
【００２２】
そして、かかるウォーターポンププライヤーによってナットＰを挟持した結果を表１に示す。尚、図２中、１〜１１の番号を付したものは、表１の各番号に対応したハンドル部端を示す。
【００２３】
【表１】
0003779855.tif 000002
また、保持凹部の間隔を７．５ｍｍに統一したウォーターポンププライヤーによってナットを挟持した結果を表２に示す。
【００２４】
【表２】
0003779855.tif 000003
【００２５】
表１と表２とを比較してわかるように、実施例（保持凹部が不等間隔のウォーターポンププライヤー）は、ハンドル部端の間隔の最大と最小の差が３５．４９ｍｍであるのに対し、比較例（保持凹部が等間隔のウォーターポンププライヤー）は、ハンドル部端の間隔の最大と最小の差が３８．８９ｍｍであり、実施例におけるハンドル部の開きのバラツキが抑えられていることがわかる。
【００２６】
尚、本発明に係るウォーターポンププライヤーは、上記実施例に限定されるものではなく、本発明の要旨を逸脱しない範囲にて、保持凹部６の形状、数、間隔を変更することができる。また、保持凹部６は、スライド用長孔５の片側のみならず、両側に形成するものであってもよい。
【００２７】
また、本発明は、スライド用長孔５の片側に形成した円弧状の保持凹部６にピン軸８を係止させることにより一対の挟持部４Ａ，４Ｂのくち開き度を調整するプライヤーに限定されない。例えば、第一例として、一方の挟持杆１Ａの枢着部３Ａであって、他方の挟持杆１Ｂと対向する面に、円弧状の溝をスライド用長孔の長手方向に沿って複数並べて形成する一方、他方の挟持杆１Ｂの枢着部３Ｂであって、一方の挟持杆１Ａと対向する面に、一方の挟持杆１Ａに対する他方の挟持杆１Ｂの回転によって前記円弧状の溝に係入し得る円弧状の突起を形成し、複数の円弧状の溝に対する円弧状の突起の係入位置を変更することにより一対の挟持部４Ａ，４Ｂのくち開き度を調整するウォーターポンププライヤーや、第二例として、一方の挟持杆１Ａのスライド用長孔５の片側を鋸歯状に形成、即ち、スライド用長孔５の片側に三角形状の保持凹部を複数並べて形成する一方、三角形状の保持凹部に係止され得る突起体をピン軸に設け、この突起体を三角形状の保持凹部の方向に付勢するようにし、他方の挟持杆１Ｂをスライドさせて突起体を複数の保持凹部に対してラチェット的にスライドさせ、複数の三角形状の保持凹部に対する突起体の係止位置を変更することにより一対の挟持部４Ａ，４Ｂのくち開き度を調整するウォーターポンププライヤー等、あらゆるウォーターポンププライヤーを採用することができる。
【００２８】
そして、第一例の場合、一対の挟持杆１Ａ，１Ｂのスライドを規制して挟持部４Ａ，４Ｂのくち開き度を調整するための係止部は円弧状の溝であり、第二例の場合、かかる係止部はスライド用長孔５の片側に形成された鋸歯、即ち三角形状の保持凹部である。従って、把持対象物Ｐのサイズの相違に伴って生じるハンドル部２Ａ，２Ｂの開きのバラツキを抑えるべく、第一例のウォーターポンププライヤーにあっては、円弧状の溝をスライド用長孔５の長手方向に対して不等間隔に形成し、第二例のウォーターポンププライヤーにあっては、三角形状の保持凹部をスライド用長孔５の長手方向に対して不等間隔に形成する。
【００２９】
また、上記実施例では、保持凹部６の数を６個とし、これらの保持凹部６，…のそれぞれ間隔を所定の寸法に設定しているが、これは、保持凹部６ａ及び保持凹部６ｂの間隔Ｌ１が７．３〜７．７ｍｍ、保持凹部６ｂ及び保持凹部６ｃの間隔Ｌ２が７．８〜８．２ｍｍ、保持凹部６ｃ及び保持凹部６ｄの間隔Ｌ３が６．３〜６．７ｍｍ、保持凹部６ｄ及び保持凹部６ｅの間隔Ｌ４が６．３〜６．７ｍｍ、保持凹部６ｅ及び保持凹部６ｆの間隔Ｌ５が７．８〜８．２ｍｍであるのが好ましい。
【００３０】
【発明の効果】
以上の如く、本発明に係るウォーターポンププライヤーは、一方の挟持杆のスライド用長孔に複数形成された保持凹部をスライド用長孔の長手方向に対して不等間隔に形成したため、パイプ、丸棒、ナット等の把持対象物のサイズの相違に伴って生じるハンドル部の開きのバラツキを抑えることができ、使い勝手さの向上を図ることができる。
【図面の簡単な説明】
【図１】本発明の一実施形態に係るウォーターポンププライヤーであって、（イ）は、平面図、（ロ）は、側面図を示している。
【図２】同実施形態のウォーターポンププライヤーの背面図であって、ナットを挟持した状態を示している。
【符号の説明】
１…挟持杆、２…ハンドル部、２ａ…基部、２ｂ…突部、３…枢着部、４…挟持部、５…スライド用長孔、６…保持凹部（係止部）、７…貫通孔、８…ピン軸、９…長孔、１０…内歯、Ｐ…挟持対象物
【図１】
0003779855.tif 000004
【図２】
0003779855.tif 000005